(57)【要約】【課題】好適なシャッタ動作が可能なシャッタ装置及び光学機器を提供すること。【解決手段】シャッタ装置（１００）は、撮影光を遮光する位置又は遮光しない位置に移動可能な遮光部（１４２）と、前記遮光部の移動に必要な駆動力を供給する駆動部材（１７２）に連結可能な第１連結部（１７３）と、前記遮光部の移動を補助する補助部材（１７４）に連結可能な第２連結部（１７５）と、前記第１連結部と前記第２連結部とを連結するように備えられた補強部（１８０）とを有することを特徴とする。【選択図】図２
2009300619.tif 000002
【特許請求の範囲】
【請求項１】
撮影光を遮光する位置又は遮光しない位置に移動可能な遮光部と、
前記遮光部の移動に必要な駆動力を供給する駆動部材に連結可能な第１連結部と、
前記遮光部の移動を補助する補助部材に連結可能な第２連結部と、
前記第１連結部と前記第２連結部とを連結するように備えられた補強部と
を有することを特徴とするシャッタ装置。
【請求項２】
請求項１に記載されたシャッタ装置であって、
前記駆動部材および前記補助部材を含み、
前記駆動部材は、第１の回転軸を中心に回転する部材であり、
前記補助部材は、前記第１の回転軸とは異なる第２の回転軸を中心に回転する部材であることを特徴とするシャッタ装置。
【請求項３】
請求項１又は請求項２に記載されたシャッタ装置であって、
前記補強部は、前記遮光部とは異なる材料で構成され、前記遮光部に取付けられており、
前記第１連結部及び前記第２連結部は、前記遮光部に設けられていることを特徴とするシャッタ装置。
【請求項４】
請求項１又は請求項２に記載されたシャッタ装置であって、
前記補強部は、前記遮光部とは異なる材料で構成され、前記遮光部に取付けられており、
前記第１連結部及び前記第２連結部は、前記補強部に設けられていることを特徴とするシャッタ装置。
【請求項５】
請求項３又は請求項４に記載されたシャッタ装置であって、
前記駆動部材及び前記補助部材の少なくとも一方は、前記補強部と前記遮光部との間に備えられていることを特徴とするシャッタ装置。
【請求項６】
請求項１から請求項５までの何れか１項に記載されたシャッタ装置であって、
前記補強部は、前記遮光部の前記撮影光を遮光する部分の撓みを低減させることを特徴とするシャッタ装置。
【請求項７】
請求項１から請求項６までの何れか１項に記載されたシャッタ装置であって、
前記遮光部は、前記撮影光を遮光する位置から前記撮影光を遮光しない位置に移動可能なシャッタ羽根であることを特徴とするシャッタ装置。
【請求項８】
請求項１から請求項７までの何れか１項に記載されたシャッタ装置であって、
前記遮光部は、露光を開始するときに前記撮影光を遮光しない位置に退避するシャッタ先幕、及び露光を終了するときに前記撮影光を遮光する位置に移動するシャッタ後幕のうち少なくとも一方であることを特徴とするシャッタ装置。
【請求項９】
請求項１から請求項８までの何れか１項に記載されたシャッタ装置を備えたことを特徴とする光学機器。
【発明の詳細な説明】
【技術分野】
【０００１】
本発明は、シャッタ装置、及び当該シャッタ装置を備える光学機器に関する。
【背景技術】
【０００２】
フォーカルプレーンシャッタとして、シャッタ羽根を備える先幕と後幕との駆動源を共通化したものが知られている（例えば、特許文献１参照）。このフォーカルプレーンシャッタでは、駆動アームと補助アームとが、シャッタ開口が形成された基板に回動可能に支持され、シャッタ羽根は、駆動アームと補助アームとにより長手方向一端部を回動可能に支持されており、駆動アームと補助アームとにより平行移動される。
【０００３】
ここで、駆動アームがシャッタ羽根を移動するときに、補助アームは慣性によりその位置に留まろうとするから、これら駆動アームおよび補助アームに連結しているシャッタ羽根に荷重が加わる。特に、後幕のシャッタ羽根を支持する補助アームは、当該シャッタ羽根を支持する駆動アームに対して、シャッタ動作中における走行方向の下流側に位置するので、シャッタ羽根の長手方向一端部において、駆動アームの連結部と補助アームの連結部との間に、曲げ荷重が加わる。よって、薄型化されたシャッタ羽根に撓みによる振動が生じ、シャッタ羽根の走行状態が安定しないことから、露光ムラが生じる。
【特許文献１】実公昭６１−３１３０５号公報
【発明の開示】
【発明が解決しようとする課題】
【０００４】
本発明が解決しようとする課題は、好適なシャッタ動作が可能なシャッタ装置及び光学機器を提供することである。
【課題を解決するための手段】
【０００５】
本発明は、以下のような解決手段により前記課題を解決する。なお、理解を容易にするために、本発明の一実施例を示す図面に対応する符号を付して説明するが、これに限定されるものではない。
【０００６】
本発明の第１の形態に係るシャッタ装置（１００）は、撮影光を遮光する位置又は遮光しない位置に移動可能な遮光部（１４２）と、前記遮光部の移動に必要な駆動力を供給する駆動部材（１７２）に連結可能な第１連結部（１７３）と、前記遮光部の移動を補助する補助部材（１７４）に連結可能な第２連結部（１７５）と、前記第１連結部と前記第２連結部とを連結するように備えられた補強部（１８０）とを有することを特徴とする。
【０００７】
また、上記課題を解決するために、本発明の第２の形態に係る光学機器（１０１）は、上記のシャッタ装置（１００）を備えたことを特徴とする。
【０００８】
なお、上記の発明の概要は、必要な特徴の全てを列挙したものではなく、これらの特徴群のサブコンビネーションもまた、発明となりうる。
【発明を実施するための最良の形態】
【０００９】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１０】
図１には、一実施形態に係るフォーカルプレーンシャッタ１００を備える、一眼レフタイプのデジタルカメラ１０１を、概略側断面図にて示している。この図に示すように、デジタルカメラ１０１は、光学部材４２０と、レンズ鏡筒４３０と、ＣＣＤ等の撮像部５００と、制御部５５０と、を備える。レンズ鏡筒４３０は光学部材４２０を収容する。撮像部５００は、光学部材４２０によって結像された画像を撮像する。制御部５５０は、撮像部５００を制御する。
【００１１】
また、デジタルカメラ１０１は、光学部材４２０、レンズ鏡筒４３０を備えるレンズユニット４１０と、ボディ４６０を含む。レンズユニット４１０は、マウント４５０を介して、ボディ４６０に対して着脱自在に装着される。
【００１２】
光学部材４２０は、図中で左側にあたる入射端から順次配列された、フロントレンズ４２２、コンペンセータレンズ４２４、フォーカシングレンズ４２６およびメインレンズ４２８を含む。フォーカシングレンズ４２６およびメインレンズ４２８の間には、アイリスユニット４４０が配置される。
【００１３】
ボディ４６０は、メインミラー５４０、ペンタプリズム４７０、接眼系４９０を含む光学部材を収容する。メインミラー５４０は、レンズユニット４１０を介して入射した入射光の光路上に傾斜して配置される待機位置と、入射光を避けて上昇する撮影位置（図中に点線で示す）との間を移動する。
【００１４】
待機位置にあるメインミラー５４０は、入射光の大半を、上方に配置されたペンタプリズム４７０に導く。ペンタプリズム４７０は、入射光の鏡映を接眼系４９０に向かって出射するので、フォーカシングスクリーンの映像を接眼系４９０から正像として見ることができる。入射光の残りは、ペンタプリズム４７０により測光ユニット４８０に導かれる。測光ユニット４８０は、入射光の強度およびその分布等を測定する。
【００１５】
なお、ペンタプリズム４７０および接眼系４９０の間には、ファインダ液晶４９４に形成された表示画像を、フォーカシングスクリーンの映像に重ねるハーフミラー４９２が配置される。表示画像は、ペンタプリズム４７０から投影された画像に重ねて表示される。
【００１６】
また、メインミラー５４０は、入射光の入射面に対する裏面にサブミラー５４２を有する。サブミラー５４２は、メインミラー５４０を透過した入射光の一部を、下方に配置された測距ユニット５３０に導く。これにより、メインミラー５４０が待機位置にある場合は、測距ユニット５３０が被写体までの距離を測定する。なお、メインミラー５４０が撮影位置に移動した場合は、サブミラー５４２も入射光の光路から退避する。
【００１７】
更に、入射光に対してメインミラー５４０の後方には、フォーカルプレーンシャッタ１００、ローパスフィルタ５１０および撮像部５００が順次配置される。フォーカルプレーンシャッタ１００が開放される場合、その直前にメインミラー５４０が撮影位置に移動するので、入射光は直進して撮像部５００に入射される。これにより、入射光の形成する画像が電気信号に変換される。これにより、撮像部５００は、レンズユニット４１０によって結像された画像を撮像する。
【００１８】
図２、図３にはそれぞれ、フォーカルプレーンシャッタ１００を、正面図、底面図にて示している。これらの図に示すように、フォーカルプレーンシャッタ１００は、台板１１０と、先幕１２０と、中間板１３０と、後幕１４０と、カバー板１５０とを備えている。なお、図２では、カバー板１５０の図示を省略している。
【００１９】
台板１１０、先幕１２０、中間板１３０、後幕１４０およびカバー板１５０は、ローパスフィルタ５１０側からメインミラー５４０側へ記載順に配されている。台板１１０には、矩形状の画枠としてのシャッタ開口１１２がローパスフィルタ５１０と対向して形成され、中間板１３０には、矩形状の画枠としてのシャッタ開口１３２がシャッタ開口１１２と対向して形成されている。また、カバー板１５０には、矩形状の画枠としてのシャッタ開口１５２がシャッタ開口１１２、１３２に対向して形成されている。
【００２０】
先幕１２０は、複数枚、例えば図示するように４枚のシャッタ羽根１２２を備えている。シャッタ羽根１２２は、シャッタ開口１１２の上下辺に沿った方向（以下、左右方向という）を長手方向とする矩形状の板材であって、シャッタ開口１１２、１３２、１５２を通過する撮影光を遮蔽する位置又は遮光しない位置に移動する。シャッタ羽根１２２の長手方向一端部には、一対のダボ１６３、１６５がカバー板１５０側に向けて突設されている。このダボ１６３、１６５は、カシメによりシャッタ羽根１２２に結合されている。
【００２１】
また、後幕１４０は、複数枚、例えば図示するように４枚のシャッタ羽根１４２を備えている。シャッタ羽根１４２は、左右方向を長手方向とする矩形状の板材であって、シャッタ開口１１２、１３２、１５２を通過する撮影光を遮蔽する位置又は遮蔽しない位置に移動する。シャッタ羽根１４２の長手方向一端部には、ダボ１７３と、ダボ１７５とが台板１１０側に向けて突設されている。このダボ１７３、１７５は、カシメによりシャッタ羽根１４２に結合されている。なお、シャッタ羽根１４２のシャッタ動作中の移動方向を、移動方向Ａという。
【００２２】
中間板１３０は、シャッタ開口１３２が形成された矩形状の板材であって、台板１１０に固定されている。また、中間板１３０は、一組の対角角部を、スペーサ部材を介して台板１１０に締結固定されることにより、台板１１０から離間されている。また、カバー板１５０からも離間されている。
【００２３】
また、フォーカルプレーンシャッタ１００は、先幕１２０を台板１１０に支持する先幕支持部１６０と、後幕１４０を台板１１０に支持する後幕支持部１７０とを備えている。先幕支持部１６０は、シャッタ羽根１２２の移動に必要な駆動力を供給する駆動アーム１６２と、シャッタ羽根１２２の移動を補助する補助アーム１６４とを備えている。
【００２４】
駆動アーム１６２と補助アーム１６４とは、細長形状の板材であって、シャッタ羽根１２２の長手方向の一方側、且つ、シャッタ開口１１２の左右方向の一方側（例えば、図中左側）に、移動方向Ａに並べて配されている。ここで、駆動アーム１６２が、補助アーム１６４より移動方向Ａの下流側に配されている。
【００２５】
台板１１０におけるシャッタ開口１１２の左右方向の一方側（例えば、図中左側）には、ボス１６６が立設されており、このボス１６６には、駆動アーム１６２の長手方向一端部が回転自在に支持されている。即ち、駆動アーム１６２は、ボス１６６を中心に回転する。
【００２６】
また、台板１１０におけるボス１６６の上側には、ボス１６８が立設されており、このボス１６８には、補助アーム１６４の長手方向一端部が回転自在に支持されている。即ち、補助アーム１６４は、ボス１６８を中心に回転する。
【００２７】
また、駆動アーム１６２には、ダボ１６３と回転自在に嵌合する複数の円孔が、長手方向へ所定間隔で配されている。また、補助アーム１６４には、ダボ１６５と回転自在に嵌合する複数の円孔が、長手方向へ所定間隔で配されている。
【００２８】
一方、シャッタ羽根１２２の長手方向一端部には、駆動アーム１６２と補助アーム１６４とに支持される支持部１２４が設けられている。支持部１２４には、ダボ１６３と、ダボ１６５とが突設されている。ダボ１６３は、ダボ１６５より移動方向Ａの下流側に配されている。また、複数のシャッタ羽根１２２の支持部１２４は、シャッタ羽根１２２の長手方向にオフセットして配されている。
【００２９】
複数のシャッタ羽根１２２の中で最も台板１１０側に配されたシャッタ羽根１２２の支持部１２４のダボ１６３、１６５は、複数の円孔の中で最も左右方向外側（例えば、図中左側）に配された円孔と回転自在に嵌合している。また、台板１１０側から２枚目のシャッタ羽根１２２の支持部１２４のダボ１６３、１６５は、複数の円孔の中で左右方向外側（例えば、図中左側）から２番目に配された円孔と回転自在に嵌合している。
【００３０】
また、複数のシャッタ羽根１２２の中で最もカバー板１５０側に配されたシャッタ羽根１２２の支持部１２４のダボ１６３、１６５は、左右方向内側（例えば、図中右側）に配された円孔と回転自在に嵌合している。また、カバー板１５０側から２枚目のシャッタ羽根１２２の支持部１２４のダボ１６３、１６５は、左右方向内側（例えば、図中右側）から２番目に配された円孔と回転自在に嵌合している。
【００３１】
後幕支持部１７０は、シャッタ羽根１４２の移動の移動に必要な駆動力を供給する駆動アーム１７２と、シャッタ羽根１４２の移動を補助する補助アーム１７４とを備えている。駆動アーム１７２と補助アーム１７４とは、細長形状の板材であって、シャッタ羽根１４２の長手方向の一方側（例えば、図中左側）、且つ、先幕支持部１６０より移動方向Ａの上流側（例えば、図中上側）に配されている。ここで、補助アーム１７４が、駆動アーム１７２より移動方向Ａの下流側に配されている。
【００３２】
台板１１０におけるシャッタ開口１１２の左右方向の一方側（例えば、図中左側）には、ボス１７６が立設されており、このボス１７６には、駆動アーム１７２の長手方向一端部が回転自在に支持されている。即ち、駆動アーム１７２は、ボス１７６を中心に回転する。
【００３３】
また、台板１１０におけるボス１７６の上側には、ボス１７８が立設されており、このボス１７８には、補助アーム１７４の長手方向一端部が回転自在に支持されている。即ち、補助アーム１７４は、ボス１７８を中心に回転する。
【００３４】
また、駆動アーム１７２には、ダボ１７３と回転自在に嵌合する複数の円孔が、長手方向へ所定間隔で配されている。また、補助アーム１７４には、ダボ１７５と回転自在に嵌合する円孔が、長手方向へ所定間隔で配されている。
【００３５】
一方、シャッタ羽根１４２の長手方向一端部には、駆動アーム１７２と補助アーム１７４とに支持される支持部１４４が形成されている。支持部１４４には、ダボ１７３と、ダボ１７５とが突設されている。ダボ１７３は、ダボ１７５より移動方向Ａの上流側に配されている。また、複数のシャッタ羽根１４２の支持部１４４は、シャッタ羽根１４２の長手方向にオフセットして配されている。
【００３６】
複数のシャッタ羽根１４２の中で最も台板１１０側に配されたシャッタ羽根１４２の支持部１４４は、複数の円孔の中で最も左右方向外側（例えば、図中左側）に配された円孔と回転自在に連結されている。また、台板１１０側から２枚目のシャッタ羽根１４２の支持部１４４は、複数の円孔の中で左右方向外側（例えば、図中左側）から２番目に配された円孔と回転自在に連結されている。
【００３７】
また、複数のシャッタ羽根１４２の中で最もカバー板１５０側に配されたシャッタ羽根１４２の支持部１４４のダボ１７３、１７５は、最も左右方向内側（例えば、図中右側）に配された円孔と回転自在に連結されている。また、カバー板１５０側から２枚目のシャッタ羽根１４２の支持部１４４のダボ１７３、１７５は、左右方向内側（例えば、図中右側）から２番目に配された円孔と回転自在に連結されている。
【００３８】
また、駆動アーム１６２の基端側には、駆動ピン１６７が台板１１０側へ向けて突設されている。また、台板１１０には、駆動ピン１６７が挿通される長孔１１４が形成されている。長孔１１４は、駆動アーム１６２が回動した場合における駆動ピン１６７の回動軌跡に沿った円弧状に形成されている。駆動アーム１６２は、駆動ピン１６７がボス１６６より下側に位置する下降位置から、駆動ピン１６７がボス１６６の側方に位置する上昇位置まで回動できる。
【００３９】
駆動ピン１６７は、台板１１０よりローパスフィルタ５１０側に配された駆動機構に連結されており、駆動機構の駆動力は、駆動ピン１６７を介して駆動アーム１６２に入力される。駆動アーム１６２は、駆動機構の駆動力を受けてボス１６６を中心に、上記上昇位置と上記下降位置との間を往復する。ここで、駆動アーム１６２が上昇位置に位置する場合に、先幕１２０を構成する複数のシャッタ羽根１２２が上下に広がってシャッタ開口１１２、１５２を遮蔽する。
【００４０】
また、駆動アーム１７２の基端側には、駆動ピン１７７が台板１１０側へ向けて突設されている。また、台板１１０には、駆動ピン１７７が挿通される長孔１１６が形成されている。長孔１１６は、駆動アーム１７２が回動した場合における駆動ピン１７７の回動軌跡に沿った円弧状に形成されている。駆動アーム１７２は、駆動ピン１７７がボス１７６より上側に位置する上昇位置から、駆動ピン１７７がボス１７６の側方に位置する下降位置まで回動できる。
【００４１】
駆動ピン１７７は、台板１１０におけるローパスフィルタ５１０側に配された駆動機構に連結されており、駆動機構の駆動力は、駆動ピン１７７を介して駆動アーム１７２に入力される。駆動アーム１７２は、駆動機構の駆動力を受けてボス１７６を中心に、上記上昇位置と上記下降位置との間を往復する。ここで、駆動アーム１７２が上昇位置に位置する場合に、後幕１４０を構成する複数のシャッタ羽根１４２が、シャッタ開口１１２の上側において光軸方向に重なり合って格納される。
【００４２】
ここで、複数のシャッタ羽根１４２の中で最も中間板１３０側に配され、ダボ１７３、１７５を介して駆動アーム１７２及び補助アーム１７４の回動端部に連結されたシャッタ羽根１４２が、他のシャッタ羽根１４２に先行して移動方向Ａへ走行する。このシャッタ羽根１４２の支持部１４４の中間板１３０側には、ダボ１７３からダボ１７５へ延在する連結アーム１８０が重ね合わされており、駆動アーム１７２及び補助アーム１７４の回動端部は、支持部１４４と連結アーム１８０との間に配されている。
【００４３】
連結アーム１８０は、細長形状の板材であって、連結アーム１８０の長手方向一端部には、ダボ１７３と回転自在に嵌合する円孔が形成され、連結アーム１８０の長手方向他端部には、ダボ１７５と回転自在に嵌合する円孔が形成されている。即ち、連結アーム１８０は、駆動アーム１７２の回動端部と補助アーム１７４の回動端部とを、ダボ１７３、１７５を介して連結している。
【００４４】
連結アーム１８０は、シャッタ羽根１４２とは異なる材料で形成されている。シャッタ羽根１４２は、カーボン、アルミ、ＳＫ材等で形成されているのに対して、連結アーム１８０は、駆動アーム１７２、補助アーム１７４と同じく、曲げ剛性がシャッタ羽根１４２の材料より高いチタンで形成されている。
【００４５】
次に、本実施形態における作用について説明する。フォーカルプレーンシャッタ１００では、露光前の待機状態において、先幕１２０の複数のシャッタ羽根１２２が、上下に展開してシャッタ開口１１２を遮蔽する。一方、後幕１４０の複数のシャッタ羽根１４２は、シャッタ開口１１２の上側に退避して折り畳まれる。
【００４６】
なお、露光終了状態から露光前の待機状態に移る場合には、先幕１２０が、後幕１４０に先行して上昇を開始する。これにより、先幕１２０の最上位のシャッタ羽根１２２と後幕１４０の最下位のシャッタ羽根１４２とが光軸方向に重なり合うので、先幕１２０と後幕１４０とによりシャッタ開口１１２が確実に遮蔽される。
【００４７】
図４には、フォーカルプレーンシャッタ１００が露光動作を開始した状態を正面図にて示している。また、図５には、フォーカルプレーンシャッタ１００が露光動作を終了する直前の状態を正面図にて示している。なお、これらの図では、カバー板１５０、中間板１３０の図示を省略している。
【００４８】
これらの図に示すように、フォーカルプレーンシャッタ１００では、露光前の待機状態から露光状態に移る場合に、駆動機構により駆動アーム１６２が移動方向Ａの下流側へ回動される。これにより、先幕１２０の複数のシャッタ羽根１２２が、移動方向Ａへ移動すると共に、補助アーム１６４が、シャッタ羽根１２２の移動に追従して、移動方向Ａの下流側へ回動する。複数のシャッタ羽根１２２は、駆動アーム１６２と補助アーム１６４とにより水平に保持された状態で、シャッタ開口１１２より移動方向Ａの下流側まで走行され、折り畳まれる。
【００４９】
一方、駆動機構により駆動アーム１７２が移動方向Ａの下流側へ回動されることにより、後幕１４０の複数のシャッタ羽根１４２が移動方向Ａの下流側へ移動すると共に、補助アーム１７４が、シャッタ羽根１４２の移動に追従して、移動方向Ａの下流側へ回動する。複数のシャッタ羽根１４２は、駆動アーム１７２と補助アーム１７４とにより水平に保持された状態で下方に展開される。
【００５０】
このとき、先幕１２０と後幕１４０とは、先幕１２０の最上位のシャッタ羽根１２２Ａ（図４参照）と後幕１４０の最下位のシャッタ羽根１４２Ａ（図４参照）との間に、光を通過させるスリットを形成しながら下方へ走行する。そして、露光終了状態では、先幕１２０の複数のシャッタ羽根１２２は、シャッタ開口１１２の下側に退避して折り畳まれ、後幕１４０の複数のシャッタ羽根１４２は、下方に展開してシャッタ開口１１２を遮蔽する。
【００５１】
ここで、先幕１２０のシャッタ羽根１２２を支持する駆動アーム１６２は、補助アーム１６４より移動方向Ａの下流側に配されており、補助アーム１６４に先行して移動方向Ａへ移動する。このため、駆動アーム１６２は、シャッタ羽根１２２と補助アーム１６４とを引いて移動方向Ａへ移動させる。このとき、シャッタ羽根１２２と補助アーム１６４とは、慣性によりその位置で留まろうとするので、シャッタ羽根１２２の支持部１２４には、駆動アーム１６２のダボ１６３から移動方向Ａの下流側への荷重が加わり、補助アーム１６４のダボ１６５から移動方向Ａの上流側への荷重が加わる。即ち、シャッタ羽根１２２の支持部１２４におけるダボ１６３とダボ１６５との間には、移動方向Ａに沿って引張荷重が作用する。
【００５２】
一方、後幕１４０のシャッタ羽根１４２を支持する駆動アーム１７２は、補助アーム１７４より移動方向Ａの上流側に配されており、補助アーム１７４に遅れて移動方向Ａへ移動する。このため、駆動アーム１７２は、シャッタ羽根１４２と補助アーム１７４とを押して移動方向Ａへ移動させる。このとき、シャッタ羽根１４２と補助アーム１７４とは、慣性によりその位置で留まろうとする。これにより、駆動アーム１７２と補助アーム１７４とが連結アーム１８０により連結されていない場合には、シャッタ羽根１４２の支持部１４４に対して、駆動アーム１７２のダボ１７３から移動方向Ａの下流側への荷重が加わり、補助アーム１７４のダボ１７５から移動方向Ａの上流側への荷重が加わる。従って、駆動アーム１７２と補助アーム１７４とが連結アーム１８０により連結されていない場合、シャッタ羽根１４２の支持部１４４におけるダボ１７３とダボ１７５との間には、移動方向Ａに沿って圧縮荷重が作用することから、シャッタ羽根１４２の長手方向の全体に厚み方向の曲げ、撓みが生じる。
【００５３】
しかし、図６に示すように、本実施形態では、駆動アーム１７２の回動端部に存するダボ１７３と補助アーム１７４の回動端部に存するダボ１７５とが、連結アーム１８０により連結されており、ダボ１７５が連結アーム１８０を介してダボ１７３から移動方向Ａの下流側へ押される。このため、ダボ１７５からシャッタ羽根１４２の支持部１４４に対して加わる移動方向Ａの上流側への荷重が低減される。これにより、他の３枚のシャッタ羽根１４２に先行して移動方向Ａへ移動するシャッタ羽根１４２の支持部１４４におけるダボ１７３とダボ１７５との間が補強されることにより、移動方向Ａに沿って作用する圧縮荷重が低減され、厚み方向の曲げ、撓みが低減される。従って、シャッタ羽根１４２における撮影光を遮光する部分に生じる曲げ、撓みによる振動を抑制でき、シャッタ羽根１４２における撮影光を遮光する部分の走行状態の安定性を向上でき、露光ムラを抑制できる。
【００５４】
さらに、連結アーム１８０の曲げ剛性が、ダボ１７３とダボ１７５とから入力される圧縮荷重により曲げ変形されない程度に高い場合には、ダボ１７３とダボ１７５とが互いに接近しないことから、ダボ１７５からシャッタ羽根１４２の支持部１４４に対して移動方向Ａの上流側へ荷重が入力されない。よって、この場合には、シャッタ羽根１４２の支持部１４４におけるダボ１７３とダボ１７５との間に、移動方向Ａに沿った圧縮荷重が作用しないことから、シャッタ羽根１４２の長手方向の全体に厚み方向の曲げ、撓みが生じない。
【００５５】
なお、本実施形態では、ダボ１７３、１７５をシャッタ羽根１４２の支持部１４４に設け、連結アーム１８０にダボ１７３、１７５と回転自在に嵌合する円孔を設けた。しかし、ダボ１７３、１７５を連結アーム１８０に設け、シャッタ羽根１４２の支持部１４４にダボ１７３、１７５と回転自在に嵌合する円孔を設けてもよい。
【００５６】
また、本実施形態では、後幕１４０の複数のシャッタ羽根１４２の中で、駆動アーム１７２と補助アーム１７４とにおける回動軸から最も離れた位置に支持された一のシャッタ羽根１４２、すなわち、スリットの一端を形成するシャッタ羽根１４２Ａ（図４参照）の支持部１４４を、連結アーム１８０により補強した。ここで、当該一のシャッタ羽根１４２Ａは、支持部１４４に生じる曲げモーメントが他のシャッタ羽根１４２より大きく、また、先幕１２０の一のシャッタ羽根１２２と共にスリットを形成することから、当該シャッタ羽根１４２Ａを補強することは、露光ムラの抑制に効果的に寄与する。しかし、その他のシャッタ羽根１４２の支持部１４４を、連結アーム１８０により補強してもよく、また、先幕１２０を構成するシャッタ羽根１２２を、連結アーム１８０により補強してもよい。
【００５７】
また、図示の実施例では、ダボ１７３とダボ１７５とを直線的に最短距離で結ぶように延在する連結アーム１８０を用いて説明したが、これに限定されるものではない。連結アーム１８０は、ダボ１７３とダボ１７５とを連結するものであれば、例えば、ダボ１７３とダボ１７５とを曲線的に連結するものであってもよい。
【００５８】
また、本実施形態では、シャッタ羽根１４２の支持部１４４とは別体の連結アーム１８０によりシャッタ羽根１４２の支持部１４４を補強した。しかし、図７に示すように、シャッタ羽根１４２の支持部１４４と一体化された板状の補強部１８１によりシャッタ羽根１４２の支持部１４４を補強してもよい。また、補強部は、シャッタ羽根１４２と同一の材料で形成してもよく、その場合、シャッタ羽根１４２の支持部１４４を他の部位より厚くすることにより、あるいは、リブを形成することにより補強部を形成してもよい。さらに、シャッタ羽根１４２と、駆動アーム１７２および補助アーム１７４とは、カシメにより被着部に結合されるダボに代えて、圧入されることにより被着部に結合されるピン等で結合されてもよい。
【００５９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００６０】
【図１】本発明の一実施形態に係るフォーカルプレーンシャッタ１００を備えるデジタルカメラ１０１の概略構成を側断面図にて示す。
【図２】本発明の一実施形態に係るフォーカルプレーンシャッタ１００を正面図にて示す。
【図３】本発明の一実施形態に係るフォーカルプレーンシャッタ１００を底面断面図にて示す。
【図４】本発明の一実施形態に係るフォーカルプレーンシャッタ１００を正面図にて示す。
【図５】本発明の一実施形態に係るフォーカルプレーンシャッタ１００を正面図にて示す。
【図６】本発明の一実施形態に係るフォーカルプレーンシャッタ１００のシャッタ羽根１４２、後幕支持部１７０、及び連結アーム１８０を正面図にて示す。
【図７】本発明の一実施形態に係るフォーカルプレーンシャッタ１００のシャッタ羽根１４２、後幕支持部１７０、及び補強部１８１を正面図にて示す。
【符号の説明】
【００６１】
１００  フォーカルプレーンシャッタ、１０１  デジタルカメラ、１１０  台板、１１２  シャッタ開口、１１４  長孔、１１６  長孔、１２０  先幕、１２２  シャッタ羽根、１２４  支持部、１３０  中間板、１３２  シャッタ開口、１４０  後幕、１４２  シャッタ羽根、１４４  支持部、１５０  カバー板、１５２  シャッタ開口、１６０  先幕支持部、１６２  駆動アーム、１６３  ダボ、１６４  補助アーム、１６５  ダボ、１６６  ボス、１６７  駆動ピン、１６８  ボス、１７０  後幕支持部、１７２  駆動アーム、１７３  ダボ、１７４  補助アーム、１７５  ダボ、１７６  ボス、１７７  駆動ピン、１７８  ボス、１８０  連結アーム、１８１  補強部、４１０  レンズユニット、４２０  光学部材、４２２  フロントレンズ、４２４  コンペンセータレンズ、４２６  フォーカシングレンズ、４２８  メインレンズ、４３０  鏡筒、４４０  アイリスユニット、４５０  マウント、４６０  ボディ、４７０  ペンタプリズム、４８０  測光ユニット、４９０  接眼系、４９２  ハーフミラー、４９４  ファインダ液晶、５００  撮像部、５１０  ローパスフィルタ、５３０  測距ユニット、５４０  メインミラー、５４２  サブミラー、５５０  制御部
【図１】
2009300619.tif 000003
【図２】
2009300619.tif 000004
【図３】
2009300619.tif 000005
【図４】
2009300619.tif 000006
【図５】
2009300619.tif 000007
【図６】
2009300619.tif 000008
【図７】
2009300619.tif 000009